(57)【要約】  第１の折畳構成及び第２の直立構成を有するように作動可能な折畳可能なシェルタベンチが記載されている。シェルタベンチは、座るためのベンチ表面を含むベース部材を含む。シェルタベンチは、第１及び第２の支持部材並びにカバーを含む天蓋部材を更に含む。直立構成では、第１及び第２の支持部材は、座面の第１の側面から座面の縦軸の両側に沿って座面の実質的に反対の第２の側面に延在する。第１及び第２の支持部材は、カバーが座面の少なくとも一部の上に延在するようにカバーを支持する。
2021534912.tif 000002
【特許請求の範囲】
【請求項１】
第１の折畳構成及び第２の直立構成を有するように作動可能な折畳可能なシェルタベンチであって、前記シェルタベンチは座るためのベンチ表面を含むベース部材を含み、前記シェルタベンチは、第１及び第２の支持部材並びにカバーを含む天蓋部材を更に含み、前記直立構成では前記第１及び第２の支持部材は、前記座面の第１の側面から前記座面の実質的に反対の第２の側面に前記座面の縦軸の両側に沿って延在し、前記第１及び第２の支持部材は、前記カバーが前記座面の少なくとも一部の上に延在するように前記カバーを支持する、折畳可能なシェルタベンチ。
【請求項２】
第１の折畳構成及び第２の直立構成を有するように作動可能な折畳可能なシェルタベンチのための部品一式であって、前記部品一式は、座るためのベンチ表面を含むベース部材を含み、前記部品一式は、第１及び第２の支持部材並びにカバーを含む天蓋部材を更に含み、前記天蓋部材は、前記ベース部材の前記座面の少なくとも一部の上にカバーを提供するなど、前記ベース部材と可逆的取付部を形成するように作動可能であり、前記直立構成では、前記第１及び第２の支持部材は、前記座面の第１の側面から前記座面の実質的に反対の第２の側面に前記座面の縦軸の両側に沿って延在し、前記第１及び第２の支持部材は、前記カバーが前記座面の少なくとも一部の上に延在するように前記カバーを支持する、部品一式。
【請求項３】
前記ベース部材は、前記座面が座るために適した第１の開位置から、前記ベース部材が前記第１の位置に比べて小型である第２の折畳位置に動くように作動可能な折畳可能なベース部材である、請求項１又は２に記載の折畳可能なシェルタベンチ又は部品一式。
【請求項４】
前記ベース部材は、複数の反復支持ユニットを含む、請求項１〜３のいずれか一項に記載の折畳可能なシェルタベンチ又は部品一式。
【請求項５】
前記ベース部材の前記支持ユニットは、それぞれが少なくとも２対の支持部材を含み、各対の前記支持部材は、各対の支持部材が、前記ベース部材の前記第１の開位置における離間した構成から、第２の小型位置における隣接した構成に動くように作動可能であるように、枢動可能に一緒に連結される、請求項４に記載の折畳可能なシェルタベンチ又は部品一式。
【請求項６】
前記支持ユニットは、それぞれが前記座面に対して支持部材の第１の縦方向に延在する枢動可能に連結された対、及び支持部材の第１の横方向に延在する枢動可能に連結された対を含む、請求項４又は５に記載の折畳可能なシェルタベンチ又は部品一式。
【請求項７】
前記ベース部材は、支持ユニット内で前記支持部材の対を取り付け、任意選択的に隣接した支持ユニットも取り付けるように作動可能な接合部材を含み、適切には、前記接合部材は、縦方向に延在する対及び横方向に延在する対のそれぞれから支持部材に対する枢動可能な連結部を含み、より好ましくは、前記接合部材は、追加として更に縦方向に延在する対から支持部材に対する枢動可能な連結部を有する、請求項４〜６のいずれか一項に記載の折畳可能なシェルタベンチ又は部品一式。
【請求項８】
前記ベース部材は、接合部材の間に延在する垂直支持部材を更に含み、好ましくは、前記ベース部材は、前記座面の前に向かって配置された前垂直支持部材、及び前記座面の後に向かって配置された後垂直支持部材を含み、好ましくは、前記前垂直支持部材は伸縮自在であり、前記ベース部材が前記開位置にある時の収縮構成から、縦方向長さが、前記ベース部材が前記折畳位置にある時の収縮位置より長い拡張構成に動くように作動可能である、請求項７に記載の折畳可能なシェルタベンチ又は部品一式。
【請求項９】
前記座面は柔軟な座面である、請求項１〜８のいずれか一項に記載の折畳可能なシェルタベンチ又は部品一式。
【請求項１０】
第１及び／又は第２の天蓋支持部材は、適切には前記直立構成で可能であるよりも線形の構成に向かう前記支持部材のバイアスに抵抗して前記支持部材を保持することにより、前記直立構成で縦方向張力を受けて保持されるように作動可能である、請求項１〜９のいずれか一項に記載の折畳可能なシェルタベンチ又は部品一式。
【請求項１１】
前記第１及び第２の天蓋支持部材は、適切には、それらの縦方向長さに沿って前記支持部材の間が横方向により大きく分離するように向かう前記支持部材の前記バイアスに抵抗して前記支持部材を保持することにより、前記直立構成で横方向の張力を受けて保持されるように作動可能である、請求項１〜１０のいずれか一項に記載の折畳可能なシェルタベンチ又は部品一式。
【請求項１２】
前記ベース部材及び前記天蓋部材は、可逆的取付部を形成するように作動可能である、請求項１〜１１のいずれか一項に記載の折畳可能なシェルタベンチ又は部品一式。
【請求項１３】
前記ベース部材は、前記直立構成で前記座面の互いに実質的に反対の側に配置された少なくとも２つの天蓋取付部材を含む、請求項１〜１２のいずれか一項に記載の折畳可能なシェルタベンチ又は部品一式。
【請求項１４】
前記ベース部材は、前記座面の第１の側面に第１及び第２の天蓋取付部材、並びに前記座面の第２の側面に第３及び第４の天蓋取付部材を含む、請求項１〜１３のいずれか一項に記載の折畳可能なシェルタベンチ又は部品一式。
【請求項１５】
前記ベース部材の前記天蓋取付部材は、前記天蓋部材の突起を受領するように作動可能な、好ましくは、第１及び／又は第２の天蓋支持部材の端部を受領するように作動可能な穴を含む、請求項１〜１４のいずれか一項に記載の折畳可能なシェルタベンチ又は部品一式。
【請求項１６】
前記天蓋取付部材の前記穴の縦軸は、前記ベース部材が開構成にある時に傾斜する、請求項１〜１５のいずれか一項に記載の折畳可能なシェルタベンチ又は部品一式。
【請求項１７】
前記ベース部材の前記第１及び第２の天蓋取付部材、並びに／又は前記ベース部材の前記第３及び第４の天蓋取付部材は、その他のそれぞれの取付部材と実質的に同じ量だけ垂直面からずれ、好ましくは、反対方向に実質的に同じ量だけ垂直面からずれる、請求項１４に記載の折畳可能なシェルタベンチ又は部品一式。
【請求項１８】
前記天蓋部材の前記第１及び／又は第２の支持部材は、それぞれが前記直立構成で前記ベース部材の前記天蓋取付部と取付部を形成するように作動可能なベース部材取付部を含む、請求項１〜１７のいずれか一項に記載の折畳可能なシェルタベンチ又は部品一式。
【請求項１９】
前記第１及び／又は第２の天蓋支持部材は、前記縦方向長さに沿って折り畳むように作動可能である、請求項１〜１８のいずれか一項に記載の折畳可能なシェルタベンチ又は部品一式。
【請求項２０】
前記天蓋部材の前記カバーは柔軟である、請求項１〜１９のいずれか一項に記載の折畳可能なシェルタベンチ又は部品一式。
【請求項２１】
前記カバーは、前記直立構成で張力を受けて保持され、より好ましくは、実質的に張りつめて保持されるように作動可能である、請求項１〜２０のいずれか一項に記載の折畳可能なシェルタベンチ又は部品一式。
【発明の詳細な説明】
【技術分野】
【０００１】
本発明は、折畳可能なシェルタベンチに関する。より詳細には、本発明は、取り外し可能な天蓋を有する折畳可能なシェルタベンチに関する。
【背景技術】
【０００２】
携帯用座席は、浸透性座席が実践的ではない、又は費用効果がない領域で使用する必要があることが多い。一例は、長時間にわたって座席の提供がない大きい競技場で行うことが多いスポーツ行事の間である。携帯用座席は、観客及び競技者が行事の間に座席を有することができ、座席は行事が終わり次第取り除くことができる。
【０００３】
このような行事は屋外で行うことが多く、多くは冬期に行う。そのため携帯性を提供するだけでなく、携帯用座席は、風雨などの悪天候条件に対抗するある形のシェルタを提供することも望ましい。
【０００４】
座席の上に延在する天蓋は、このようなシェルタを提供するために使用することができるが、携帯用座席に天蓋を追加することにより、重量及び嵩が著しく加わること、悪天候に曝されるように設計された天蓋の一体構造の信頼性、並びに費用の増加を含む、いくつかの問題が生じる。
【発明の概要】
【発明が解決しようとする課題】
【０００５】
従って改良した折畳可能なシェルタベンチが必要とされている。従って１つ若しくは複数の前述又は他の問題に対処することが本発明の態様の目的である。
【課題を解決するための手段】
【０００６】
本発明の第１の態様によれば、第１の折畳構成及び第２の直立構成を有するように作動可能な折畳可能なシェルタベンチが提供され、シェルタベンチは座るためのベンチ表面を含むベース部材、並びに第１及び第２の支持部材並びにカバーを含む天蓋部材を含み、直立構成では第１及び第２の支持部材は、座面の第１の側面から前記座面の実質的に反対の第２の側面に座面の縦軸の両側に沿って延在し、第１及び第２の支持部材は、カバーが座面の少なくとも一部の上に延在するようにカバーを支持する。
【０００７】
シェルタベンチは、携帯用折畳可能なシェルタベンチであってもよい。好ましくは、シェルタベンチは、折畳可能なシェルタ・スポーツチーム・ベンチである。
【０００８】
ベース部材は、座面が座るのに適している第１の開位置から、ベース部材が第１の位置に比べて小型である第２の折畳位置に動くように作動可能な折畳可能なベース部材であってもよい。好ましくは、ベース部材は、第１の位置から第２の位置に折り畳むように作動可能である。
【０００９】
ベース部材は、複数の反復支持ユニットを含んでもよい。ベース部材の支持ユニットは、それぞれが少なくとも２対の支持部材を含んでもよく、各対の支持部材は、各対の支持部材がベース部材の第１の開位置における離間した構成から、第２の小型位置における隣接した構成に動くように作動可能であるように枢動可能に一緒に連結され、適切には各対の支持部材は、支持部材のほぼ中点で枢動可能に一緒に連結される。好ましくは、支持部材は第１の開位置で傾斜されるように作動可能であり、より好ましくは、垂直面から６０°〜３０°ずれ、例えば垂直面から５５°〜３５°ずれ、又は垂直面から５０°〜４０°ずれて配向された縦軸を備える。支持部材は、第２の小型位置で実質的に垂直に配向されるように作動可能であってもよい。
【００１０】
支持ユニットは、それぞれが座面に対して支持部材の第１の縦方向に延在する枢動可能に連結された対、及び支持部材の第１の横方向に延在する枢動可能に連結された対を含んでもよい。適切には、支持ユニットは、それぞれが適切には座面の前及び後に配置された、支持部材の第１及び第２の縦方向に延在する枢動可能に連結された対、並びに支持部材の第１の縦方向に延在する枢動可能に連結された対と支持部材の第２の縦方向に延在する枢動可能に連結された対との間に延在する、支持部材の第１及び第２の横方向に延在する枢動可能に連結された対を含む。好ましくは、隣接した支持ユニットは、支持部材の横方向に延在する枢動可能に連結された対の同じ対を共有する。
【００１１】
ベース部材は、支持ユニット内で支持部材の対を取り付け、適切には隣接した支持ユニットも取り付ける接合部材を含んでもよい。適切には、接合部材は、縦方向に延在する対及び横方向に延在する対のそれぞれから支持部材に対する枢動可能な連結部を含み、好ましくは、接合部材は、追加として更に縦方向に延在する対から支持部材に対する枢動可能な連結部を有する。
【００１２】
ベース部材は、接合部材の間に延在する垂直支持部材を更に含んでもよく、好ましくは、ベース部材は、座面の前に向かって配置された前垂直支持部材、及び座面の後に向かって配置された後垂直支持部材を含む。前垂直支持部材は伸縮自在であり、ベース部材が開位置にある時の収縮構成から、ベース部材が折畳位置にある時の収縮位置より縦方向長さが長い拡張構成に動くように作動可能であってもよい。前垂直支持部材は、接合部材に固定した非枢動連結部を有してもよい。後垂直支持部材は、適切には固定して好ましくは枢動せずに下端で接合部材に取り付けられ、上端に向かって接合部材に摺動可能に取り付けられてもよく、垂直支持部材は、背もたれ面支持部を提供するために上接合部材を通って上接合部材の上に延在する。適切には、背もたれ面支持部は、ベース部材が開位置にある時に、ベース部材が折畳位置にある時に比べてより長い縦方向長さを有するように作動可能である。
【００１３】
ベース部材は、３〜２０個の支持ユニット、例えば４〜１５個の支持ユニット、又は５〜１２個の支持ユニット、好ましくは６〜１０個の支持ユニットを含んでもよい。
【００１４】
ベース部材の座面は、適切には細長い表面であり、細長い表面は離間した座面から一体形成され、又は離間した座面から構成されてもよく、離間した座面は本発明の目的のために集合的に座面であると考えられてもよく、表面の最長長さに沿って延在する縦軸及び縦軸を垂直に横切って延在する横軸を有する。座面は、少なくとも１人が座る、例えば少なくとも２人、少なくとも３人、少なくとも４人、又は少なくとも５人が座るための空間を提供してもよい。
【００１５】
座面は柔軟な座面であってもよい。好ましくは、座面は、ベース部材の第１の開位置では、ベース部材の第２の折畳位置に比べて比較的張りつめて保持するように作動可能であり、それによって座るために適した表面を提供する。
【００１６】
座面は、座面をベース部材の少なくとも２つの接合部材に、好ましくは少なくとも４つの接合部材に、適切には固定して取り付けるために取付部を含んでもよい。好ましくは、座面は、前上接合部材に固定して取り付けられ、後垂直支持部材に摺動可能に取り付けられる。
【００１７】
ベース部材は、開位置では背もたれ面を更に含んでもよい。適切には、背もたれ面は座面と一体形成される。背もたれ面は、表面を背もたれ面支持部に取り付けるように作動可能な取付部材を含んでもよい。
【００１８】
ベース部材及び天蓋部材は、直立構成で可逆的取付部を形成するように作動可能であってもよい。ベース部材及び天蓋部材は、天蓋部材のカバーがベース部材の座面の少なくとも一部の上に延在するように、それぞれが直立構成でベース部材と天蓋部材との間に取付部を形成するように作動可能な取付部と協働することを含んでもよい。
【００１９】
ベース部材は、直立構成では座面の互いに実質的に反対の側に配置された少なくとも２つの天蓋取付部材を含んでもよい。好ましくは、ベース部材は、座面の第１の側面に第１及び第２の天蓋取付部材、並びに座面の第２の側面に第３及び第４の天蓋取付部材を含む。天蓋取付部材は、天蓋取付部材が第１の折畳構成におけるベース部材から取り外されてもよいように、それ自体がベース部材と可逆的取付部を形成するように作動可能であってもよい。
【００２０】
ベース部材の天蓋取付部材は、天蓋部材の突起を受領するように作動可能な、好ましくは、第１の及び／又は第２の天蓋支持部材の端部を受領するように作動可能な穴を含んでもよい。適切には、取付部材の穴は、天蓋部材の突起又は支持部材の端部を摺動可能に受領するように、例えば天蓋部材と取付部を形成するように作動可能である。
【００２１】
天蓋取付部材の穴の縦軸は、ベース部材が開位置にある時に傾斜してもよい。好ましくは、取付部材の穴の縦軸は、縦軸が垂直面から５°〜７０°、好ましくは垂直面から２０°〜６０°、より好ましくは垂直面から２５°〜５５°、最も好ましくは垂直面から３０°〜５０°の角度に配置されるように傾斜される。
【００２２】
ベース部材の第１及び第２の天蓋取付部材、並びに／又はベース部材の第３及び第４の天蓋取付部材は、その他のそれぞれの取付部材と実質的に同じ量だけ垂直面からずれてもよく、好ましくは反対方向に実質的に同じ量だけ垂直面からずれてもよい。例えば第１の取付部材が垂直面から４５°だけずれる場合は、第２の取付部材は垂直面から−４５°だけずれてもよい。
【００２３】
ベース部材の第１及び第２、並びに／又は第３及び第４の天蓋取付部材は、支持ユニットの開口型に横方向に延在する対のベース部材の支持部材であってもよい。適切には、末端が横方向に延在する対のベース部材の支持部材。好ましくは、天蓋取付部材を含む支持ユニットは、座面を含まない。
【００２４】
天蓋部材の第１及び／又は第２の支持部材は、それぞれが直立構成でベース部材の天蓋取付部と取付部を形成するように作動可能なベース部材取付部を含んでもよい。好ましくは、第１及び第２の天蓋支持部材は、支持部材が直立構成で座面の互いに実質的に反対の側にベース部材と取付部を形成するように作動可能であるように、それぞれが２つの取付部を含む。より好ましくは、第１の支持部材は、直立構成でベース部材の第１の取付部材と取付部を形成するように作動可能な第１の取付部材、及びベース部材の第３の取付部材と取付部を形成するように作動可能な第２の支持部材を含み、第２の支持部材は、直立構成でベース部材の第２の取付部材と取付部を形成するように作動可能な第１の取付部材、及びベース部材の第４の取付部材と取付部を形成するように作動可能な第２の支持部材を含む。
【００２５】
第１及び／又は第２の天蓋支持部材は、縦方向長さに沿って折畳可能であってもよい。適切には、支持部材は、支持部材が縦方向長さを有する第１の組立構成、及び支持部材が組立構成に比べて実質的に低減した縦方向長さを有する第２の折畳構成を形成するように作動可能である。第１及び／又は第２の天蓋支持部材が組立構成にあり、ベース部材に取り付けられていない時に、支持部材は、支持部材の端部に向かう第１及び第２の実質的に直線部、並びに第１の直線部と第２の直線部との間に配置された更に実質的な直線中間部を含んでもよく、中間部の縦軸は、第１及び第２の直線部の軸に対してずれている。
【００２６】
第１及び／又は第２の天蓋支持部材は、プラスチック、適切には繊維ガラスなどの繊維強化プラスチックから形成されてもよい。
【００２７】
第１及び／又は第２の天蓋支持部材がベース部材に取り付けられる時に、第１及び第２の天蓋支持部材は好ましくは弾性的に変形可能である。
【００２８】
直立構成では、第１及び／又は第２の天蓋支持部材は、適切には直立構成で可能であるよりも線形の構成に向かう支持部材のバイアスに抵抗して支持部材を保持することにより、縦方向張力を受けて保持されてもよい。
【００２９】
直立構成では、第１及び第２の天蓋支持部材は、適切にはそれらの縦方向長さに沿って支持部材の間が横方向により大きく分離するように向かう支持部材のバイアスに抵抗して支持部材を保持することにより、横方向張力を受けて保持されてもよい。
【００３０】
直立構成では、天蓋のカバーは、座面の周りに少なくとも垂直に落ちる降雨から着座を守るように座面の少なくとも一部の上に延在する。好ましくは直立構成では、天蓋は、座面の周りに少なくとも垂直に落ちる降雨から着座を守るように座面の実質的に全ての上に延在する。天蓋部材のカバーは柔軟であってもよい。適切には、カバーは、カバーを通る水の経路を制限するように作動可能であり、例えば好ましくは、カバーは少なくとも耐水性であり、好ましくは実質的に防水である。
【００３１】
直立構成では、カバーは引張を受けて保持されてもよく、より好ましくは実質的に張りつめて保持される。好ましくは、カバーは、第１及び第２の天蓋支持部材の横方向の引張により引張を受けて保持される。
【００３２】
カバーは、天蓋部材及び／又はベース部材と可逆的取付部を形成するように作動可能であってもよい。第１及び／又は第２の支持部材などの天蓋部材、及び／又はカバー、及び／又はベース部材は、好ましくは可逆的にカバーを天蓋、及び／又は支持部材、及び／又はベース部材に取り付けるように作動可能な取付部材を含んでもよい。好ましくは、カバーは、カバーを第１の支持部材に取り付けるように、好ましくは可逆的に取り付けるように作動可能な取付部材を含む。カバーは、カバーをベース部材の後に取り付けるように作動可能な取付部材を含んでもよい。
【００３３】
本発明の更なる態様によれば、本発明の第１の態様によるベース部材を含む折畳可能なシェルタベンチのための部品一式、及び本発明の第１の態様による天蓋部材が提供され、天蓋部材は、ベース部材の座面の少なくとも一部の上にカバーを提供するなど、ベース部材と可逆的取付部を形成するように作動可能である。
【００３４】
好都合なことに、本発明の折畳可能なシェルタベンチは、改良した安定性と組み合わせた改良した携帯性を提供する。本発明の折畳可能なシェルタベンチは、費用効果もある。具体的には、シェルタベンチは、ベース部材に天蓋を取り付けることによって提供された改良した安定性と組み合わせて天蓋を横切って均等に分配された構造強度を提供する。シェルタテントの信頼性は、天蓋内で使用する構成要素及び可動部品がより少ないことに起因して更に改良される。シェルタベンチの構成要素が低減したことにより、より良好な携帯性のために小型性を改良し重量を低減することができる。加えて、本発明のシェルタベンチの構成は、シェルタの構造的一体性を妥協することなくベンチの前方に大きいシェルタを提供することができ、要素から改良した保護を提供する。
【００３５】
本明細書に含有された全ての特徴は、あらゆる組合せで上のあらゆる態様と組み合わせてもよい。
【００３６】
次に、本発明をより良く理解するため、且つ本発明の実施形態がどのように実施されるかを示すために、例として以下の図面を参照する。
【図面の簡単な説明】
【００３７】
【図１】本発明による直立シェルタベンチの正面図を示す。
【図２】図１の直立シェルタベンチの斜視正面図を示す。
【図３】折畳構成のベース部材及び天蓋部材を備えた、折畳構成の図１のシェルタベンチを示す。
【図４】図３の折り畳んだベース部材の正面図を備えた、折畳構成の図１のシェルタベンチの正面図を示す。
【図５】開構成の図３のベース部材の側面図を示す。
【図６】図５のベース部材の反復ベース部材支持ユニットの拡大正面図を示す。
【図７】図５のベース部材の天蓋取付部材の拡大側面図を示す。
【図８】図５のベース部材の天蓋取付部材の拡大正面図を示す。
【図９】図５のベース部材の側面斜視図、及び図１の天蓋部材の組み立てた第１の支持部材を示す。
【図１０】図１のシェルタベンチの開いたベース部材に取り付けた、天蓋の組み立てた第１の支持部材の側面斜視図を示す。
【図１１】図５のベース部材及び図１の天蓋部材の組み立てた第２の支持部材の側面斜視図を示す。
【図１２】図１のシェルタベンチの開いたベース部材に取り付けた天蓋部材の組み立てた第１の支持部材及び天蓋部材の第２の支持部材の側面斜視図。
【図１３】図１の直立シェルタベンチの側面斜視図を示す。
【図１４】図１の直立シェルタベンチの拡大側面斜視図を示す。
【図１５】図１の直立シェルタベンチの正面からの拡大図を示す。
【図１６】図１の直立シェルタベンチの斜視背面図を示す。
【発明を実施するための形態】
【００３８】
図１及び２は、本発明による直立シェルタベンチ１００を示す。シェルタベンチ１００は、折畳可能なベース部材１０２及び折畳可能な天蓋部材１０４から形成される。
【００３９】
ベース部材１０２は、ベンチ座面１０６、ベンチ背もたれ面１０８、及び反復ベース部材支持ユニット１１０ａ−ｈから形成される。
【００４０】
各ベース部材ユニット１１０ａ−ｈは、開いた底部立方形状を有し、その側壁は、複数の非可撓性金属の中空円筒支持部材及び接合部材から形成される。ベース部材ユニット１１０ｂ−ｆのそれぞれは、立方形状の各垂直縁部上に１つが位置付けられる４つの垂直支持部材１２４、１対が立方形状の各垂直面に沿って延在する４対の枢動可能に取り付けられた支持部材１１２、１１４、１１６、１１７、及び１つの接合部材が立方形状の各頂点上に位置付けられる８つの接合部材１２０から形成される。支持部材の対１１２及び１１４は、座面の縦方向長さに対して縦方向に延在し、支持部材の対１１２は立方形状の前面を形成し、対１１４は立方形状の後面を形成する。支持部材の対１１６及び１１７は、座面の縦方向長さに対して横方向に延在し、支持部材の対１１６及び１１７は立方形状の側面に沿って延在する。反復ベース部材ユニット１１０ｂ−ｆは、ベース部材支持部の対１１６、１１７が隣接したユニットの間で共有されるように連続して固定して取り付けられる。
【００４１】
各対の支持部材１１２、１１４、１１６、１１７は、２つの支持部材から形成され、２つの支持部材は、部材が開構成又は小型構成のどちらも可能であるように各部材のほぼ中点で枢動可能に一緒に連結され、開構成である時に部材の終端は離間され、対は十字形構成であり、小型構成である時に部材の終端は比較的隣接し、支持部材は実質的に垂直に配向される。ベース部材が開構成にある時に、各対の支持部材１１２、１１４、１１６、１１７は、どちらも垂直面から４５°ずれた傾斜位置にある。対の支持部材は、各支持部材の中点に集中したピン１１８を使用して枢動可能に連結される。
【００４２】
ユニット１１０ｂ−ｇの接合部材１２０は、それぞれが２対の縦方向に延在する支持部材の対のそれぞれから１つの支持部材の端部に、及び１つの横方向に延在する支持部材の対から１つの支持部材の端部に枢動可能に取り付けられる。このようにして、固定して取り付けられた各ユニット及び隣接したユニットの対が取り付けられる。
【００４３】
垂直支持部材１２４、１２６は、ベース支持ユニット１１０ｂ−ｇの上接合部材１２０と下の接合部材１２０との間に垂直に延在する。垂直支持部材は、各ユニットが座面の前側の２つの垂直支持部材１２４、及び座面の後側の２つの垂直支持部材１２６を有するように、ベース部材ユニット１１０ｂ−ｇの立方形状の垂直縁部を形成する。隣接したベース部材ユニット１１０は、垂直支持部材１２４、１２６を共有する。
【００４４】
前垂直支持部材１２４は、上及び下接合部材に枢動不能に固定される。前垂直支持部材１２４は伸縮自在であり、ベース部材ユニットが開構成にある時のより短い収縮位置から、ベース部材ユニットが折畳構成にある時のより長い拡張位置に動くことができる。
【００４５】
後垂直支持部材１２６は伸縮自在ではなく、下端は下接合部材１２０ｂのみに固定して取り付けられる。後垂直支持部材の上端は、ベンチ背もたれ面１０８に背もたれ支持部を提供するために、上接合部材１２０ａを通って、上接合部材１２０ａの上に摺動可能に延在する。
【００４６】
ベンチ座面１０６は柔軟な繊維から形成され、柔軟な繊維は中心の６つのベース部材ユニット１１０ｂ−ｇにわたって延在し、１つのベース部材ユニットと同じ幅を有する。外部ベース部材ユニット１１０ａ、１１０ｈは、ベンチ座席領域１０６の終縁部の両側にあり、従って座面に覆われない。ベンチ座面１０６は、前上接合部材１２０ａに固定して取り付けられる。ベンチ座面１０６は、後垂直支持部材に摺動可能に取り付けられる。
【００４７】
ベンチ背もたれ面１０８は柔軟な繊維から形成され、柔軟な繊維は６つのベース部材ユニットと同じ長さであり、ベンチ座面と一体形成される。背もたれ面１０８は取付部材１０９から形成され、取付部材１０９は、上接合部材の上に突出する後垂直支持部材１２６の一部によって形成された背もたれ支持部１２７に背もたれ面を取り付ける。
【００４８】
外部ベース部材ユニット１１０ａ、１１０ｈは、４つの垂直縁部の全てに垂直支持部材を含有するのではなく、内部ベース部材ユニット１１０ｂ及び１１０ｇのそれぞれと連結する縁部のみを含有することを除いて、ベース部材ユニット１１０ｂ−ｇと同じである。更に、ユニット１１０ａ及び１１０ｈの外部横方向に配向された傾斜支持部材の対は、上接合部材の上に延在し、天蓋取付部材１２８として機能するように作動可能な開口端穴１３０を提供するために開口端にされる。その上、ユニット１１０ａ及び１１０ｈの外部接合部材は、１つの縦方向に延在する支持部材の端部のみに取り付けられる。従ってベース部材１０２は、４つの天蓋取付部材１２８を有し、２つずつが座面１０６の両端にある。開位置では、天蓋取付部材１２８は垂直面から反対方向に４５°ずれる。傾斜穴１３０ａ−ｄは、それぞれが天蓋１３４、１３６の支持部材の端部を受領することができる。
【００４９】
２つの天蓋支持部材１３４、１３６及びカバー１４８の形の天蓋部材１０４。
【００５０】
天蓋支持部材１３４、１３６は、それらの縦方向長さに沿って折畳可能である。分解した構成では、天蓋支持部材１３４、１３６の長さは、組立構成に比べて著しく低減した縦方向長さを有する。支持部材１３４及び１３６は、それぞれが実質的に同じ長さである複数の硬い線形のフレキシガラス部１４２ａ−ｇからそれぞれが形成される。部分１４２ａ−ｇは継手１４０を使用して連続して可逆的に取り付け可能であり、各継手は、部分１４２ａ−ｇの端部を受領するように作動可能な第１の開口端及び第２の開口端を有する。部分１４２ａ−ｇの各端部は、部分１４２ａ及び１４２ｇのそれぞれの一端を除いて、それぞれの継手１４０の一端に弾性的に取り付けられる。折畳構成では、各部分１４２ｂ−ｆの一端は、支持部材が縦方向長さに沿って折り畳むことができるように継手から取り除かれる。組立構成だがベース部材に取り付けられていない時、天蓋支持部材１３４、１３６は、３つの線形部、すなわち２つの線形端部１３７及び１つの線形中間部１３９を形成する。部分１４０ａ及び１４０ｇの一端のそれぞれに１つが提供された２つの湾曲した継手は、線形端部の縦軸が線形中間部の縦軸に対してずれて配置される、組み立てた支持部材を提供する。
【００５１】
天蓋部材１０４がベース部材１０２に取り付けられた時、天蓋支持部材１３４、１３６の両端は、それぞれが穴１３０ａ及び１３０ｃ、並びに１３０ｂ及び１３０ｄのそれぞれの中に挿入される。天蓋支持部材１３４は、２つの傾斜穴１３０ａ及び１３０ｃに取り付けられ、天蓋支持部材１３６は、天蓋支持部材１３５及び１３６が座面の第１の側面から座面の縦軸の両側に沿って前記座面の実質的に反対の第２の側面に延在するように、２つの傾斜穴１３０ｂ及び１３０ｄに取り付けられる。組み立てた時に天蓋支持部材は、傾斜穴の中に嵌合するために小さい縦方向の変形を必要とし、それに応じてベース部材に取り付けた時に支持部材の縦方向長さに沿って張力を受けて保持される。
【００５２】
天蓋支持部材１３４は、カバー取付部材１５０を使用して直立構成における支持部材の実質的に全ての中間部に沿ってカバー１４８に可逆的に取り付けられる。カバー１４８は、ベース取付部材クリップ１５２を使用してベース部材１０２にも可逆的に取り付けられる。直立構成では、カバー１４８は、支持部材１３４から支持部材１３６にわたって延在し、ベース部材１０２の後にクリップで留められる。この構成では、カバーは、座面の前縁部を超えたところから座面の後縁部を超えたところまで座面の上に延在し、張力を受けて保持される。天蓋部材１０４をベース部材１０２に取り付けるために必要な横方向張力により、天蓋支持部材１３４、１３６の端部は天蓋取付部材１２８の穴の縦軸に比べてずれる。比較してずれた角度は、図１４にシータとして示されている。従って直立構成では、天蓋支持部材は、それらの縦方向長さに沿って支持部材の間が横方向により大きく分離するように向かう支持部材のバイアスに抵抗して支持部材を保持することにより、横方向張力を受けて保持される。カバーも、張力を受けて天蓋取付部材１３０ａ、ｂから座面を超えて取付部材１３０ｃ、ｄに延在する。
【００５３】
図３〜１６に示されたように、図３に示された折り畳んだシェルタベンチ装置は、ベース部材１０２を開構成の中に折り畳み（図５）、天蓋支持部材１３４及び１３６を組み立てた後に、縦方向張力を受けて支持部を置くために、支持部材の端部をベース部材のそれぞれの天蓋取付部材の中に挿入することにより（図９〜１２）、直立構成に組み立てられてもよい。天蓋部材のカバー１４８は、次いで支持部材１３６の上に配置し、カバーを適位置に固定して横方向張力を受けて支持部材を置き、それによって張力を受けて座面の上にカバーを保持するために、ベース部材の後に取り付けることができる（図１２〜１６）。
【００５４】
本出願に関して本明細書と同時に又はそれ以前に出願され、本明細書と共に公開閲覧された、全ての書類及び文書、並びに参照によって本明細書に組み込まれる全てのこのような書類及び文書の内容に注意は向けられる。
【００５５】
本明細書（あらゆる添付の特許請求の範囲、要約書及び図面を含む）に開示された全ての特徴、及び／又はそのように開示されたあらゆる方法若しくは工程の全てのステップは、このような特徴及び／又はステップの少なくとも一部が相互に排他的である場合の組合せを除いて、あらゆる組合せに組み合わされてもよい。
【００５６】
本明細書（あらゆる添付の特許請求の範囲、要約書及び図面を含む）に開示された各特徴は、別段の明記がない限り、同じ、等価の、又は類似の目的を果たす代替の特徴に交換されてもよい。従って別段の明記がない限り、開示された各特徴は、一般的な一連の等価物又は類似の特徴の一例に過ぎない。
【００５７】
本発明は、前記の実施形態の詳細に限定されない。本発明は、本明細書（あらゆる添付の特許請求の範囲、要約書及び図面を含む）に開示された特徴のあらゆる新規の特徴若しくはあらゆる新規の組合せ、又はそのように開示されたあらゆる方法若しくは工程のステップのあらゆる新規の特徴若しくはあらゆる新規の組合せに及ぶ。
【図１】
2021534912.tif 000003
【図２】
2021534912.tif 000004
【図３】
2021534912.tif 000005
【図４】
2021534912.tif 000006
【図５】
2021534912.tif 000007
【図６】
2021534912.tif 000008
【図７】
2021534912.tif 000009
【図８】
2021534912.tif 000010
【図９】
2021534912.tif 000011
【図１０】
2021534912.tif 000012
【図１１】
2021534912.tif 000013
【図１２】
2021534912.tif 000014
【図１３】
2021534912.tif 000015
【図１４】
2021534912.tif 000016
【図１５】
2021534912.tif 000017
【図１６】
2021534912.tif 000018
【国際調査報告】
2021534912.tif 000019
2021534912.tif 000020